(57)【要約】【課題】撮影チャンスを逃さずに撮影しつつも、撮影時にユーザの撮影意図を反映してテンポの良い映像を簡単に得られる撮像装置を提供する。【解決手段】本発明の撮像装置は、被写体からの光束を光電変換して画像信号を出力するCCD８０からの画像信号が入力されて画像データを作成する画像信号処理部４６、この画像データを動画モードでの撮影中に動画データとして記録可能なメモリカード２９への記録開始と記録停止とを指示するシャッタボタンSW1、動画撮影により得られる動画像の中から切り出して保存しておきたい一連の動画像としての注目点動画像を指定するセルフタイマ／削除スイッチSW9、切り出し時間を指定するメニュー画面、セルフタイマ／削除スイッチSW9の指示の都度指定された切り出し時間分の注目点動画像がメモリカード２９に記録されるようにメモリカード２９を制御するCPU４０とを備えている。【選択図】図２
2013058976.tif 000002
【特許請求の範囲】
【請求項１】
被写体からの光束を受光して光電変換することにより画像信号を出力する撮像部と、該撮像部からの画像信号が入力されて画像データを作成する画像処理部と、該画像処理部からの前記画像データを動画モードでの撮影中に動画データとして記録可能な記録部と、前記動画データの前記記録部への記録開始と記録停止とを指示する操作部と、前記動画モードでの撮影中に動画撮影により得られる動画像の中から切り出して保存しておきたい一連の動画像としての注目点動画像を指定する注目点動画像指定部と、前記注目点動画像の切り出し時間を指定する注目点動画像時間指定部と、前記操作部の操作による前記動画モードでの撮影中に、前記注目点動画像指定部の指示の都度、前記注目点動画像時間指定部により指定された切り出し時間分の前記注目点動画像が前記記録部に記録されるように該記録部を制御する制御部とを備えていることを特徴とする撮像装置。
【請求項２】
前記制御部は、前記注目点動画像時間指定部により指定された時点を切り出し時間の中央位置を基準にして前記注目点動画像の切り出し開始時間位置を設定することを特徴とする請求項１に記載の撮像装置。
【請求項３】
前記制御部は、前記注目点動画像時間指定部により指定された時点を切り出し時間の先頭位置として前記注目点動画像の切り出し開始時間位置を設定することを特徴とする請求項１に記載の撮像装置。
【請求項４】
前記制御部は、前記注目点動画像時間指定部により指定された時点を切り出し時間の最後位置として前記注目点動画像の切り出し開始時間位置を設定することを特徴とする請求項１に記載の撮像装置。
【請求項５】
前記操作部はシャッターボタンであり、前記注目点動画像指定部は前記シャッターボタンを除く操作部を構成する各スイッチの一つであることを特徴とする請求項１ないし請求項４のいずれか１項に記載の撮像装置。
【請求項６】
前記操作部はシャッターボタンであり、前記注目点動画像指定部は、タッチパネル式のモニタ画面であることを特徴とする請求項１ないし請求項４のいずれか１項に記載の撮像装置。
【請求項７】
前記注目点動画像時間指定部は、液晶表示装置のモニター画面のセットアップメニュー画面に設けられていることを特徴とする請求項１ないし請求項６のいずれか１項に記載の撮像装置。
【請求項８】
再生モードによる動画データの再生中に、前記注目点動画像の切り出し開始時間位置を指定する切り出し開始時間位置指定部を更に備え、
前記制御部は、前記動画データの再生中に、前記切り出し開始時間位置指定部の操作の都度、該切り出し開始時間位置指定部により指定された切り出し開始時間位置から前記切り出し時間分の前記注目点動画像が切り出されて前記記録部に記録されるように該記録部を制御することを特徴とする請求項１に記載の撮像装置。
【発明の詳細な説明】
【技術分野】
【０００１】
本発明は、動画撮影可能な撮像装置の改良に関する。
【背景技術】
【０００２】
デジタルビデオカメラやデジタルカメラ等の動画撮影は、一瞬の時間を切り取って撮影対象を固定して記録する写真と異なり、ストーリー仕立てのテンポの良い映像を得るためには、事前にストーリーを計画したり、カメラワークを身につけたり等の撮影テクニックが必要である。従って、誰もが簡単にテンポの良い映像を得る撮影を行うことができるというものではない。
【０００３】
テンポの良い映像が得られない主な原因は、実時間で撮影した長い映像をそのまま使用するからである。
通常、このような長い映像は、短いシーンをつなげるという編集を行うことにより、ストーリー仕立てのテンポの良い映像となる。
【０００４】
しかし、ほとんどのユーザは編集作業が面倒なため、これらの映像は編集されることなくテープやハードディスク等の記録媒体に保存したまま全く見返されないか、仮に、ユーザーが見返したとしても、撮影した当人及び関係者以外には、見るに堪えない映像のままであろう。
【０００５】
このような問題に対して、各種の対策が提案されている。なかでも、動画撮影時に後で編集を行う必要がない撮影を行うことができるようにすることが、編集が不要でかつユーザの撮影意図を一番反映しやすいとの観点から以下に説明する対策が提案されている。
【０００６】
たとえば、「シナリオモード」撮影の場合、旅行やスポーツ等のテーマが複数準備されているビデオカメラがある。。
このビデオカメラでは、各テーマに好適なお薦め撮影シーンをビデオカメラがガイドする工夫が施されている。「4秒/8秒」等の各シーンでのお薦めの撮影時間（秒数）をユーザが選択して確認することにより、ユーザがテンポの良い映像を得ることができるようになっている。
【０００７】
また、例えば、ストーリー性に優れかつ完成度の高い動画撮影を可能にすることを目的として、撮影前に撮影方法やタイトルを含むシナリオデータを入力し、そのシナリオデータに従って撮影ガイダンスを行う技術が提案されている（例えば、特許文献１参照。）。
【０００８】
また、例えば、記録された動画の中から、所定時間分の動画を簡単に切り出すことができる技術を提供することを目的として、動画を撮影するのと同じ感覚で動画像の切り出しを行う技術が提案されている（例えば、特許文献１、特許文献２参照。）。
【０００９】
その「シナリオモード」撮影という概念による対策によれば、たとえば、結婚披露宴等、シナリオや被写体の立ち位置をあらかじめ把握でき、宴会自体の進行も遅い等、シナリオを選択する余裕がある条件下でとても有効である。
【発明の概要】
【発明が解決しようとする課題】
【００１０】
しかしながら、「シナリオモード」撮影という概念による対策では、子供の運動会等、被写体の立ち位置をあらかじめ把握できず、更には、運動会自体の進行も早くて、シナリオを選択している余裕すらない条件下においては、シナリオを選択しているうちに撮影チャンスを逃すおそれがある。
【００１１】
そのため、ユーザーは、撮影チャンスを逃すまいとして、結局は実時間で撮影することになる。その結果、撮影された映像は長いものとなり、撮影時にテンポの良い映像を得ることができず、このため、テンポの良い映像を得るには、再生時に編集作業が必要になる。
【００１２】
本発明は、上記の事情に鑑みて為されたもので、撮影チャンスを逃さずに撮影しつつも、撮影時にユーザの撮影意図を反映してテンポの良い映像を簡単に得られる撮像装置を提供することを目的とする。
【課題を解決するための手段】
【００１３】
本発明に係る撮像装置は、被写体からの光束を受光して光電変換することにより画像信号を出力する撮像部と、該撮像部からの画像信号が入力されて画像データを作成する画像処理部と、該画像処理部からの前記画像データを動画モードでの撮影中に動画データとして記録可能な記録部と、前記動画データの前記記録部への記録開始と記録停止とを指示する操作部と、前記動画モードでの撮影中に動画撮影により得られる動画像の中から切り出して保存しておきたい一連の動画像としての注目点動画像を指定する注目点動画像指定部と、前記注目点動画像の切り出し時間を指定する注目点動画像時間指定部と、前記操作部の操作による前記動画モードでの撮影中に、前記注目点動画像指定部の指示の都度、前記注目点動画像時間指定部により指定された切り出し時間分の前記注目点動画像が前記記録部に記録されるように該記録部を制御する制御部とを備えていることを特徴とする。
【発明の効果】
【００１４】
本発明によれば、実時間で撮影する長い動画モードでの撮影中に注目点動画像を指定できるようにし、その注目点動画像を切りだして保存しておきたい短い映像が得られるようにしたので、撮影チャンスを逃さずに撮影しつつも、撮影時にユーザの撮影意図を反映したテンポの良い映像が簡単に得られるという効果を奏する。
【図面の簡単な説明】
【００１５】
【図１】図１は本実施例に係る撮像装置としてのデジタルカメラの上面図である。
【図２】図２は図１に示すデジタルカメラの正面図である。
【図３】図３は図１に示すデジタルカメラの背面図である。
【図４】図４は図１に示すデジタルカメラの制御系の回路構成を示すブロック図である。
【図５】図５は動画モードでの実時間の動画像と切り出したい動画像との関係を示す概念図である。
【図６】図６はビデオカメラの場合の注目点動画像指定部の一例を示す説明図である。
【図７】図７はタッチパネル式液晶表示装置を備えたデジタルカメラの注目点動画像指定部の一例を示す説明図である。
【図８】図８はスナップ動画を設定する設定手順を説明するためのメニュー画面を示す図である。
【図９】図９はスナップ動画像の切り出し設定画面の「中央重点」、「先頭」、「最後」、「カスタム」の意味を説明する模式図である。
【図１０】図１０はスナップ動画撮影の概要を説明するための模式図である。
【図１１】図１１はMPEG方式の動画ファイルの構造を示す説明図である。
【図１２】図１２はFATファイル・アロケーションシステムの記録媒体への記録構造を示す説明図である。
【発明を実施するための形態】
【実施例】
【００１６】
以下、添付図面を参照しつつ、この発明に係る撮像装置としてのデジタルカメラの実施例を説明する。
（デジタルカメラの概略構成）
図１は本実施例に係るデジタルカメラの上面図、図２は図１に示すデジタルカメラの正面図、図３は図１に示すデジタルカメラの背面図である。
【００１７】
その図１において、デジタルカメラの上面には、サブＬＣＤ１、シャッタボタンＳＷ１、モードダイアルＳＷ２、マイクロフォン２、及びスピーカ３が適宜の位置に設けられている。サブＬＣＤ１は静止画撮影が可能な枚数等を表示する役割を果たす。シャッタボタンＳＷ１は、静止画像又は動画像撮影の際に押圧操作され、動画モードの際には動画データの記録部（後述する）への記録開始と記録停止とを指示する操作部として機能する。モードダイアルＳＷ２、マイクロフォン２、スピーカ３については後述する。
【００１８】
シャッタボタンＳＷ１は、２段式のスイッチで構成されている。このシャッタボタンＳＷ１は、半押し操作と押し切り操作とが可能である。デジタルカメラは、このシャッタボタンＳＷ１の半押し操作によりＡＥ（自動露出）／ＡＦ（オートフォーカス）が作動する。シャッタボタンＳＷ１の押し切り操作により、ＡＷＢ（オートホワイトバランス）が作動することにより、静止画の撮影を実行する。
【００１９】
モードダイヤルＳＷ２は、ダイヤル式のスイッチにより構成されている。デジタルカメラの上面には、モードダイヤルＳＷ２に隣接して指示マークMIが設けられている。そのモードダイヤルＳＷ２のモードをその指示マークMIの位置に合わせることにより、このデジタルカメラの動作モードが設定される。
【００２０】
このデジタルカメラの動作モードには、静止画を撮影する「静止画撮影モード」、「シーン撮影モード」、動画を撮影する「動画撮影モード」、撮影された画像を再生する「再生モード」、カメラ設定のための「セットアップモード」がある。
【００２１】
「シーン撮影モード」は、更に細かく分類されている。この「シーン撮影モード」には、「被写体追尾モード」、「ポートレートモード」、「フェイスモード」、「スポーツモード」、「遠景モード」、「夜景モード」、「高感度モード」、「ズームマクロモード」、「白黒モード」、「セピアモード」、「斜め補正モード」、「文字モード」等がある。これらのモードの切り替えも、モードダイヤルＳＷ２の操作によって行われる。
【００２２】
このデジタルカメラは、図２に示すように、その正面に、フラッシュ発光部４、ＡＦ補助光／セルフタイマランプ５、リモートコントロール受光部６、鏡胴ユニット７及び正面側光学ファインダ８が設けられている。また、このデジタルカメラの側面には、メモリカードスロットル、バッテリ収容部が設けられている。これらのメモリカードスロットル、バッテリ収容部は、蓋体９により閉塞されている。
【００２３】
また、この実施例に係るデジタルカメラの側面には、テレビジョン装置等の外部表示機器にこのデジタルカメラを接続するためのＡＶ出力端子（図４参照）２１や、パーソナルコンピュータ等の外部情報端末機器にこのデジタルカメラを接続するためのＵＳＢ端子（図４参照）２２等も設けられている。
【００２４】
フラッシュ発光部４はフラッシュ発光する光源を有する。ＡＦ補助光／セルフタイマランプ５は、オートフォーカス時の補助光を被写体に投光する機能とセルフタイマ時の点滅機能とを有する。
リモートコントロール受光部６は、図示を略すリモートコントロール端末機器からの赤外線信号を受信する機能を有する。
【００２５】
鏡胴ユニット７の構成及び機能、正面側光学ファインダ８の構成及び機能は必要に応じて後述する。メモリカードスロットルには、記録部としてのメモリカード（図４参照）２９が挿入される。バッテリ収容部にはバッテリ２５が収容される。
【００２６】
このデジタルカメラは、図３に示すように、その背面に、ＡＦ動作時に点灯するＡＦＬＥＤ１０、フラッシュ発光時に点灯するフラッシュＬＥＤ１１、ＬＣＤモニタ１２、裏面側光学ファインダ１３及び電源スイッチ１４が設けられている。
【００２７】
ＬＣＤモニタ１２は、カラー画像を表示可能な画像モニタである。このＬＣＤモニタ１２は、再生モード時には撮影済みの画像を表示するための画像表示パネルとして利用される。また、このＬＣＤモニタ１２は、セットアップモード時に、各種設定操作を行うためのユーザインタフェース表示パネルとして利用される。更に、このＬＣＤモニタ１２は、撮影モード時には、必要に応じてライブビューが表示される。これにより、画角確認用のファインダとして利用できる。
【００２８】
更に、このデジタルカメラの背面には、ズーム（ＷＩＤＥ）スイッチＳＷ３、ズーム（ＴＥＬＥ）スイッチＳＷ４、上／フラッシュスイッチＳＷ５、右スイッチＳＷ６、下／マクロスイッチＳＷ７、左／画像確認スイッチＳＷ８、セルフタイマ／削除スイッチＳＷ９、メニュースイッチＳＷ１０、ＯＫスイッチＳＷ１１、ディスプレイスイッチＳＷ１２、クイックアクセススイッチＳＷ１３の各種スイッチが設けられている。
【００２９】
ズーム（ＷＩＤＥ）スイッチＳＷ３及びズーム（ＴＥＬＥ）スイッチＳＷ４は、デジタルカメラのズーム動作の際に用いられる。デジタルカメラは、撮影モード時にズーム（ＷＩＤＥ）スイッチＳＷ３が操作されると広角側へのズーム動作を行う。
また、デジタルカメラは、ズーム（ＴＥＬＥ）スイッチＳＷ４が操作されると、望遠側へのズーム動作を行う。これにより、レンズの焦点距離が変化する。
【００３０】
再生モード時には、ズーム（ＷＩＤＥ）スイッチＳＷ３が操作されると、再生中の画像がＬＣＤモニタ１２に縮小表示される。
ズーム（ＴＥＬＥ）スイッチＳＷ４が操作されると、再生中の画像がＬＣＤモニタ１２に拡大表示される。
【００３１】
上／フラッシュスイッチＳＷ５は、フラッシュのモード（発光禁止、オート、赤目軽減、強制発光、スローシンクロなど）を切り替える際やＬＣＤモニタ１２上のカーソルCaを上移動させる場合に用いられる。
【００３２】
右スイッチＳＷ６は、ＬＣＤモニタ１２上のカーソルCaを右移動させる場合に用いられる。下／マクロスイッチＳＷ７は、マクロ撮影を行う際やＬＣＤモニタ１２上のカーソルCaを下移動させる場合等に用いられる。左／画像確認スイッチＳＷ８は、撮影した画像をＬＣＤモニタ１２で確認する際やＬＣＤモニタ１２上のカーソルCaを左移動させる場合等に用いられる。
【００３３】
セルフタイマ／削除スイッチＳＷ９は、セルフタイマの作動時やＬＣＤモニタ１２に表示中の画像を削除する際に用いられる。メニュースイッチＳＷ１０は、各モードの通常画面からメニュー画面への遷移を指示する際に用いられる。ＯＫスイッチＳＷ１１は、選択内容の確定、処理の実行を指示する際に用いられる。
【００３４】
ディスプレイスイッチＳＷ１２は、ＬＣＤモニタ１２のマークの表示／非表示を切り替える等、ＬＣＤモニタ１２の画面の表示状態の変更を指示する際に用いられる。撮影モード時、このディスプレイスイッチＳＷ１２が１回操作される毎に、ＬＣＤモニタ１２の画面の表示内容が、「ヒストグラム表示→グリッドガイド表示→マーク表示なし→ＬＣＤモニタオフ→通常のマーク表示→ヒストグラム表示→・・」・と切り替えられる。
【００３５】
また、再生モード時、ディスプレイスイッチＳＷ１２が１回操作される毎に、ＬＣＤモニタ１２の画面の表示内容が、「ヒストグラム表示→ハイライト表示→マーク表示なし→通常のマーク表示→ヒストグラム表示→・・・」と切り替えられる。また、このディスプレイスイッチＳＷ１２は、入力操作のキャンセル操作や１つ前の操作状態に戻す指示を行う際に用いられる。クイックアクセススイッチＳＷ１３は、登録したメニューを瞬時に選択する際に用いられる。
【００３６】
（デジタルカメラの制御系の回路構成及びその機能の概略説明）
図４はこのデジタルカメラの制御系の回路構成を示すブロック図である。このデジタルカメラは、全体の動作がＣＰＵ（中央処理装置）４０によって統括的に制御される。
ＣＰＵ４０は、スイッチＳＷ１〜ＳＷ１３から入力される操作信号やリモートコントロール受光部６からの受信出力信号に基づき、所定の制御プログラム９０に従ってデジタルカメラの全体を統括制御する。なお、スイッチＳＷ１〜ＳＷ１３は、図４には一括して操作部４１として表示されている。
【００３７】
すなわち、ＣＰＵ４０はデジタルカメラによる画像の撮影、撮影した画像の再生等の動作を統括制御する。また、フラッシュ発光部４からのフラッシュ発光制御、ＡＦ補助光／セルフタイマランプ５、ＡＦＬＥＤ１０やフラッシュＬＥＤ１１の点灯制御、サブＬＣＤ１の表示制御等を行う。このＣＰＵ４０の動作電源はバッテリ２５から供給される。また、バッテリ２５からの電力はＤＣ／ＤＣコンバータ５３を介してデジタルカメラの内部の各回路へ供給される。
【００３８】
フラッシュＲＯＭ５８が、バス１００を介してＣＰＵ４０と接続されている。このフラッシュＲＯＭ５８には、ＣＰＵ４０が実行する制御プログラム９０及び制御に必要な各種データ、ユーザ設定情報等（例えば、カメラ調整データ９１、カメラ設定データ９２）のデジタルカメラの動作に関する各種設定情報等が格納されている。
【００３９】
また、このフラッシュＲＯＭ５８には、デジタルカメラの画像撮影に関わる各種機能の説明や機能を設定するための操作方法等を簡単に示すガイダンス情報が、各機能毎に、ガイダンス情報表示データ９３ａ及びガイダンス情報音声データ９３ｂとして格納されている。
【００４０】
ＳＤＲＡＭ５４は、ＣＰＵ４０の演算作業用領域、画像データ（Ｒａｗ−ＲＧＢ画像データ５５、ＹＵＶ画像データ５６、圧縮伸張画像データ５７）等の一時記憶領域として利用される。
鏡胴ユニット７は、被写体からの光束を取り込むズームレンズ７１及びフォーカスレンズ７２、これらのレンズを駆動するレンズ駆動部７６、絞り７３、この絞り７３を制御する絞り駆動部７７、メカニカルシャッタ７４、このメカニカルシャッタ７４を駆動するシャッタ駆動部７８からなる。
【００４１】
レンズ駆動部７６、絞り駆動部７７、シャッタ駆動部７８は、ＣＰＵ４０からの駆動指令により駆動制御される。
デジタルカメラの電源がオンになると、フラッシュＲＯＭ５８に格納された制御プログラム９０がＳＤＲＡＭ５４にロードされる。ＣＰＵ４０はその制御プログラム９０に従ってデジタルカメラの装置各部の動作を制御する。それとともに、ＣＰＵ４０は、制御に必要なデータ等を一時的にＳＤＲＡＭ５４に保存させる。
【００４２】
フラッシュＲＯＭ５８は、書き換え可能な半不揮発性メモリである。このため、このデジタルカメラでは、制御プログラム９０や制御に必要な各種データ、ユーザ設定情報等（例えば、カメラ調整データ９１、カメラ設定データ９２）を変更することが可能となる。その結果、このデジタルカメラは、機能のバージョンアップを容易に行うことができる。
【００４３】
また、このデジタルカメラでは、機能のバージョンアップと共に新たな機能に関するガイダンス情報表示データ９３ａ及びガイダンス情報音声データ９３ｂをフラッシュＲＯＭ５８に格納することにより、新たな機能に対応したガイダンス情報の提供が可能になる。
【００４４】
デジタルカメラは、モードダイヤルＳＷ２の操作により撮影モードが選択されると、このデジタルカメラの動作モードが撮影モードに設定される。
これにより、このデジタルカメラは被写体の撮影が可能になる。モードダイヤルＳＷ２が撮影モードに設定されると、鏡胴ユニット７がカメラ本体から繰り出されて、撮影スタンバイ状態になる。
【００４５】
この撮影モードでは、鏡胴ユニット７のレンズ（ズームレンズ７１、フォーカスレンズ７２）を通過した被写体からの光束は、絞り７３を介して固体撮像素子（撮像部）としてのＣＣＤ８０の受光面に結像される。なお、ＣＣＤ８０の代わりにＣＭＯＳイメージセンサ等、他の撮像素子を用いてもよい。
【００４６】
ＣＣＤ８０の受光面には、多数の画素としてのフォトダイオード（受光素子）が二次元的に配置されている。このフォトダイオード（受光素子）の前面には、所定の配列構造（ベイヤー、Ｇストライプ等）の赤（Ｒ）、緑（Ｇ）、青（Ｂ）のカラーフィルタが配列されている。、
【００４７】
レンズを通過した被写体からの光束は、その所定配列構造のカラーフィルタを介して各フォトダイオードに受光される。各フォトダイオードは、その受光した被写体光を受光光量に応じた量の信号電荷に光電変換する。
各フォトダイオードに蓄積された信号電荷は、タイミングジェネレータ（ＴＧ）８１から与えられる駆動パルスによりその信号電荷に応じた電圧信号（画像信号）としてフォトダイオードから順次読み出される。その電圧信号はアナログ処理部（ＣＤＳ／ＡＭＰ）４２に向けて出力される。
【００４８】
アナログ処理部（ＣＤＳ／ＡＭＰ）４２は、入力された画素毎のＲＧＢ信号をサンプリングホールド（相関二重サンプリング処理）すると共に、増幅してＡ／Ｄ変換器４３に向けて出力する。
Ａ／Ｄ変換器４３は、そのアナログ処理部（ＣＤＳ／ＡＭＰ）４２から出力されたアナログＲＧＢ信号をデジタルＲＧＢ信号に変換する。
このＡ／Ｄ変換器４３から出力されたデジタルのＲＧＢ信号は、センサ入力制御部４４を介して、Ｒａｗ−ＲＧＢ画像データ５５としてＳＤＲＡＭ５４に取り込まれる。
【００４９】
画像信号処理部４６は、ＳＤＲＡＭ５４に取り込まれたＲａｗ−ＲＧＢ画像データ５５をＣＰＵ４０の指令に従って処理する。すなわち、画像信号処理部４６は、輝度信号（Ｙ信号）及び色差信号（Ｃｒ、Ｃｂ信号）へ変換し、ＹＵＶ画像データ５６を生成する。
【００５０】
この画像信号処理部４６について、更に詳述すると、画像信号処理部４６は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理部として機能する。
【００５１】
その画像信号処理部４６は、ＣＰＵ４０からの指令に従ってＳＤＲＡＭ５４をワークエリアとして利用しながら、入力されたＲＧＢ信号を信号処理することにより、輝度信号及び色差信号（輝度／色差信号）を生成する。生成された輝度／色差信号は、ＹＵＶ画像データ５６としてＳＤＲＡＭ５４に格納される。
【００５２】
撮影画像をＬＣＤモニタ１２に出力する場合、ＹＵＶ画像データ５６は、ＳＤＲＡＭ５４からＯＳＤＭＩＸ部４８に送られる。
ＯＳＤＭＩＸ部４８は、入力されたＹＵＶ画像データ５６の輝度／色差信号に文字や図形等のオンスクリーンディスプレイデータを重ね合わせて合成し、ビデオエンコーダ６５及びＬＣＤモニタ信号処理部４９に出力する。
【００５３】
これにより、所要の撮影情報等が画像データに重ねて表示される。
また、ＯＳＤＭＩＸ部４８は、ＣＰＵ４０によりガイダンス情報の表示が必要と判断され、かつ、表示対象となるガイダンス情報表示データ９３ａがフラッシュＲＯＭ５８から読み出されて入力されると、ＹＵＶ画像データ５６の輝度／色差信号にガイダンス情報表示データ９３ａを合成し、ＬＣＤモニタ信号処理部４９に出力する。
これにより、ガイダンス情報が画像データに重ねてＬＣＤモニタ１２に表示される。
【００５４】
ビデオエンコーダ６５は、入力されたＹＵＶ画像データ５６の輝度／色差信号を表示用のデジタル表示出力信号（例えば、ＮＴＳＣ方式のカラー複合映像信号）に変換する。このデジタル表示出力信号はＤ／Ａ変換器６６に入力される。Ｄ／Ａ変換器６６はデジタル表示出力信号をアナログビデオ出力信号に変換する。
【００５５】
ビデオＡＭＰ６７は、Ｄ／Ａ変換器６６から出力されたアナログビデオ出力信号を、７５ Ω インピーダンス変換して、ＡＶ出力端子２１へ出力する。ＡＶ出力端子２１はテレビジョン装置等の外部表示機器に接続する際に用いられる。これにより、ＣＣＤ８０により撮像された画像がテレビジョン装置等の外部表示機器に表示される。
【００５６】
ＬＣＤモニタ信号処理部４９は、入力されたＹＵＶ画像データ５６の輝度／色差信号をＬＣＤモニタ１２の入力信号形式であるＲＧＢ信号へ変換して、ＬＣＤモニタ１２へ出力する。これにより、ＣＣＤ８０により撮像された画像がＬＣＤモニタ１２に表示される。
【００５７】
ＣＣＤ８０から画像信号が定期的に取り込まれ、その画像信号により生成される輝度／色差信号によってＳＤＲＡＭ５４内のＹＵＶ画像データ５６が定期的に書き換えられる。
この定期的に書き替えられたＹＵＶ画像データ５６がＬＣＤモニタ１２及びＡＶ出力端子２１に出力されることにより、ＣＣＤ８０により撮像された画像がリアルタイムで表示される。
ユーザは、このＬＣＤモニタ１２にリアルタイムに表示される画像（ライブビュー）を見ることにより、撮影画角を確認できる。
【００５８】
被写体の撮影はシャッタボタンＳＷ１の押下によって行なわれる。撮影に先立ち、ユーザは、画角を調整する必要があるとき、ズーム（ＷＩＤＥ）スイッチＳＷ３及びズーム（ＴＥＬＥ）スイッチＳＷ４を操作し、ズームレンズ７１をズーミングさせて画角を調整する。
【００５９】
シャッタボタンＳＷ１が半押しされると、レリーズＲ１オン信号がＣＰＵ４０に入力される。これにより、ＣＰＵ４０はＡＥ／ＡＦ処理を実行する。
まず、センサ入力制御部４４を介してＣＣＤ８０から取り込まれた画像信号がＡＦ検出部５１並びにＡＥ／ＡＷＢ検出部５２に入力される。
【００６０】
ＡＥ／ＡＷＢ検出部５２は、１画面を複数のエリア（例えば、１６×１６）に分割し、分割エリア毎にＲ、Ｇ、Ｂ信号を積算する回路を含む。ＡＥ／ＡＷＢ検出部５２は、その回路による積算値をＣＰＵ４０に提供する。
【００６１】
ＣＰＵ４０は、ＡＥ／ＡＷＢ検出部５２から得られた積算値により被写体の明るさ（被写体輝度）を検出することにより、撮影に適した露出値（撮影ＥＶ値）を算出する。
そして、ＣＰＵ４０は、求められた撮影ＥＶ値と所定のプログラム線図とから絞り値とシャッタースピードとを決定する。これにより、ＣＰＵ４０は、ＣＣＤ８０の電子シャッタと絞り駆動部７７とを制御し、その結果適正な露光量が得られる。
【００６２】
また、ＡＥ／ＡＷＢ検出部５２は、自動ホワイトバランス調整時、分割エリア毎にＲ、Ｇ、Ｂ信号の色別の平均積算値を算出する。ＡＥ／ＡＷＢ検出部５２は、その算出結果をＣＰＵ４０に提供する。そのＣＰＵ４０は、得られたＲの積算値、Ｂの積算値、Ｇの積算値から各分割エリア毎にＲ／Ｇ及びＢ／Ｇの比を求める。ＣＰＵ４０は、求めたＲ／Ｇ、Ｂ／Ｇの値のＲ／Ｇ、Ｂ／Ｇの色空間における分布等により光源種判別を行う。
【００６３】
そして、ＣＰＵ４０は、判別された光源種に適したホワイトバランス調整値に従って、各色チャンネルの信号を補正する。
CPU４０は、そのホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号を補正する。
【００６４】
ＡＦ検出部５１は、Ｇ信号の高周波成分のみを通過させるハイパスフィルタ、絶対値化処理部、所定のフォーカスエリア（たとえば、画面中央部）内の信号を切り出すＡＦエリア抽出部及びＡＦエリア内の絶対値データを積算する積算部から構成されている。
【００６５】
ＡＦ検出部５１において求められた積算値のデータはＣＰＵ４０に通知される。ＣＰＵ４０は、レンズ駆動部７６を制御してフォーカスレンズ７２を移動させながら、複数のＡＦ検出ポイントで焦点評価値（ＡＦ評価値）を演算し、その評価値が極大となるレンズ位置を合焦位置として決定する。そして、CPU４０は、求められた合焦位置にフォーカスレンズ７２が移動するように、レンズ駆動部７６を制御する。
【００６６】
このように、シャッタボタンＳＷ１の半押しによって、ＡＥ／ＡＦ処理が行なわれる。その後、ユーザがシャッタボタンＳＷ１を押し切ると、ＣＰＵ４０にＲ２オン信号が入力され、ＣＰＵ４０は、画像の撮影、記録処理を開始する。
【００６７】
すなわち、ＣＰＵ４０は測光結果により決定された絞り値に従って、絞り駆動部７７を制御して絞り７３を駆動する。また、ＣＰＵ４０はシャッタ速度値に従って、シャッタ駆動部７８を制御してメカニカルシャッタ７４の開閉動作を制御する。これにより、ＣＣＤ８０の露光時間が制御され、ＣＣＤ８０が設定された露光時間に応じて露光される。
【００６８】
ＣＣＤ８０から出力された画像信号は、アナログ処理部（ＣＤＳ／ＡＭＰ）４２、Ａ／Ｄ変換器４３、センサ入力制御部４４を介してＳＤＲＡＭ５４に取り込まれる。その画像信号は、画像信号処理部４６において輝度／色差信号に変換された後、ＹＵＶ画像データ５６としてＳＤＲＡＭ５４に格納される。
【００６９】
ＳＤＲＡＭ５４に格納されたＹＵＶ画像データ５６は、圧縮伸張処理部４７に転送され、所定の圧縮フォーマット（たとえばＪＰＥＧ形式）に従って圧縮された後、ＳＤＲＡＭ５４に圧縮伸張画像データ５７として格納される。そのＳＤＲＡＭ５４に格納される際に、所定の画像記録フォーマット（たとえばＥｘｉｆ形式）の画像ファイルとされ、その後、カード制御部５０を介して例えばメモリカード２９（たとえばＳＤカード）に記録される。
【００７０】
このようにしてメモリカード２９に記録された圧縮画像データは、モードダイヤルＳＷ２の操作により再生モードが選択され、デジタルカメラの動作モードが再生モードに設定されと、ＬＣＤモニタ１２に再生表示される。
【００７１】
すなわち、デジタルカメラの動作モードが再生モードに設定されると、ＣＰＵ４０は、カード制御部５０にコマンドを出力する。これにより、メモリカード２９に最後に記録された画像ファイルが読み出される。
【００７２】
読み出された画像ファイルの圧縮画像データは、圧縮伸張処理部４７に転送され、非圧縮の輝度／色差信号に伸張された後、ＯＳＤＭＩＸ部４８及びＬＣＤモニタ信号処理部４９を介してＬＣＤモニタ１２に出力される。
これにより、メモリカード２９に記録されている画像がＬＣＤモニタ１２に再生表示される。
【００７３】
また、パーソナルコンピュータ等の外部情報端末機器とＵＳＢ通信を行う場合、デジタルカメラがＵＳＢ端子２２を介して外部情報端末機器と接続される。ＣＰＵ４０は、ＵＳＢ制御部５９を制御することにより、外部情報端末機器との間でＵＳＢ通信を行う。
【００７４】
シャッタ音、操作音等の音声信号データはフラッシュＲＯＭ５８に格納されている。ＣＰＵ４０は、音声信号処理部４５を制御する。この音声信号データは、音声信号処理部４５を介してオーディオＣＯＤＥＣ６１へ出力される。
【００７５】
また、ＣＰＵ４０は、ガイダンス情報の音声出力が必要であると判断すると、音声出力の対象となるガイダンス情報音声データ９３ｂをフラッシュＲＯＭ５８から読み出す。このガイダンス情報音声データ９３ｂは、音声信号処理部４５を介してオーディオＣＯＤＥＣ６１へ出力される。
【００７６】
オーディオＣＯＤＥＣ６１は、入力された音声信号を増幅するマイクロフォンアンプリファイアや、スピーカ３を駆動するオーディオアンプリファイアを内蔵している。このオーディオＣＯＤＥＣ６１には、ユーザが音声信号を入力するマイクロフォン（図１も合わせて参照）２、音声信号を出力するスピーカ３が接続されている。
【００７７】
オーディオＣＯＤＥＣ６１は、音声信号処理部４５から入力される音声信号データやガイダンス情報音声データ９３ｂに応じてオーディオアンプでスピーカ３を駆動する。これにより、シャッタ音や操作音、ガイダンス情報などが、スピーカ３から出力される。
【００７８】
（本発明に係るデジタルカメラの詳細説明）
このデジタルカメラは、スナップ動画撮影機能を有する。このスナップ動画撮影を実行する制御プログラム９０’はフラッシュROM５８に格納されている。
【００７９】
CPU４０は、動画撮影モードでは、シャッタボタンＳＷ１の操作によるスナップ動画モードでの撮影中に、注目点動画像指定部の指示の都度注目点動画像時間指定部により指定された時間分の注目点動画像がメモリカード２９に記録されるようにこのメモリカード２９を制御する。
【００８０】
そのシャッタボタンＳＷ１は、動画モードでは、動画データの記録部への記録開始と記録停止とを指示する操作部として機能する。
メモリカード２９は、画像信号処理部４６からの画像データを動画モードでの撮影中に動画データとして記録可能な記録部として機能する。
【００８１】
注目点動画像指定部は、動画モードでの撮影中に動画撮影により得られる動画像の中から切り出して保存しておきたい一連の動画像としての注目点動画像を指定する機能を有し、注目点動画像時間指定部は、注目点動画像の開始から終了までの切り出し時間を指定する機能を有する。
この注目点動画像指定部、注目点動画像時間指定部の詳細については、以下に説明するスナップ動画撮影の際の処理を説明しつつ説明する。
【００８２】
動画モードでの撮影中に注目点動画像指定部を操作して、動画撮影により得られた動画像の中から切り出して保存しておきたい一連の動画像を注目点動画像という。図５は、動画モードでの撮影の実時間を示し、符号GUは動画撮影中に切り出して保存しておきたい一連の動画像としての注目点動画像を示している。
【００８３】
（注目点動画像GUの指定）
その注目点動画像GUの指定には、シャッタボタンＳＷ１とは別のスイッチが用いられる、例えば、デジタルカメラの背面に設けられているセルフタイマ／削除スイッチＳＷ９（図３参照）を用いて指定することができる。この注目点動画像GUの指定に用いるスイッチは、動画撮影時にボタン操作をしてもカメラワークが乱れない位置に設けられているスイッチを用いるのが望ましい。
【００８４】
例えば、図６に示すようなビデオカメラ９９の場合には、液晶表示装置１００Aの左端側にボタンBOを設け、右手でビデオカメラ本体を図６に示すようにホールドしながら、左手で液晶画面１００Aの左下を摘むようにして注目点動画像GUの指定を行うことにすると、カメラを安定させて動画撮影を行いつつ、注目点動画像GUを指定できる。
【００８５】
図６に示すビデオカメラ９９の場合、ボタンBOが注目点動画像指定部として機能する。図１〜図３に示すデジタルカメラの場合、例えば、セルフタイマ／削除スイッチＳＷ９が注目点動画像指定部として機能する。
【００８６】
なお、セルフタイマ／削除スイッチＳＷ９を用いて、注目点動画像GUを指定する構成とする場合、動画モードでの撮影時にのみ注目点動画像GUを指定する注目点動画像指定機能を発揮する。すなわち、動画モードでの撮影を行っていないときには、セルフタイマ／削除スイッチSW９としての通常機能を発揮するように制御プログラム９０’を作成すれば良い。
【００８７】
この注目点動画像GUの指定は、動画モードでの撮影の際に、都度、すなわち、何回でも指定することができる。セルフタイマ／削除スイッチＳＷ９を押して注目点動画像データGUを指定すると、図３に示すＬＣＤモニタ１２の画面に注目点動画像GUが指定されたことを意味するメッセージを表示して、ユーザーが確認できるようにしても良い。
【００８８】
以上の例においては、動画モードでの撮影の開始及び停止スイッチとして機能するシャッタボタンSW１とは別のスイッチであるセルフタイマ／削除スイッチＳＷ９を用いて注目点動画像GUを指定することにして説明した。
【００８９】
しかしながら、タッチ式のＬＣＤモニタの場合には、例えば、タップ操作により注目点動画像GUを指定しても良い。また、例えば、図示を略す赤外線リモートコントロール受信部を有するデジタルカメラの場合、リモートコントロール端末機器の赤外線信号を用いて注目点動画像GUを都度指定する構成としても良い。
【００９０】
（タッチパネル式の液晶表示装置による注目点動画像GUの指定の例）
図７はタッチパネル式の液晶表示装置による注目点動画像GUの指定の例を示している。図７（a）は、タップ操作による注目点動画像GUの指定を示し、図７（ｂ）は、プレスアンドホールドによる注目点動画像GUの指定を示し、図７（ｃ）はドラッグによる注目点動画像GUの指定を示す。
【００９１】
タップ操作とは、図７（a）に示すように、指FuでLCDモニタの画面Giを軽く叩く操作を言い、符号Gｊはそのタップ操作により凹んだモニタの画面Giの部分を模式的に示している。このタップ操作はマウスのクリックに相当する。
【００９２】
プレスアンドホールドとは、指FuでLCDモニタの画面Giを適宜箇所を押さえつける動作を一定時間継続する状態を言い、符号Gｋはそのプレスアンドホールド操作により凹んだモニタの画面Giの部分を模式的に示している。このプレスアンドホールド操作はマウスの右クリックに相当する。
【００９３】
ドラッグ操作とは、指FuでLCDモニタの画面Giを押さえつつ指Fuを画面Gi上でずらす操作を言い、符号Gｌはそのドラッグ操作によるモニタの画面Gi上での軌跡を示している。
このタッチ式の液晶表示装置の場合、モニタの画面Giが注目点動画像指定部として機能する。
【００９４】
以下に、動画像データからスナップ動画を設定するための設定手順、その注目点動画像GUの切り出し時間、切り出し開始位置等の設定手順について説明する。
この実施例では、注目点動画像GUの切り出し時間、切り出し開始位置等の設定は、セットアップモードのメニュー画面において設定される。
【００９５】
図２に示すモードダイアルSW2を操作して、「セットアップモード」を選択すると、LCDモニタ１２の画面Giがメニュー画面になり、図８（a）に示すように、スナップ動画撮影モード設定を含む各種のメニューが表示される。
【００９６】
上／フラッシュスイッチSW５、右スイッチSW６、下／マクロスイッチSW７、左／画像確認スイッチSW8を操作して、カーソルCaを「スナップ動画モード」の項目に位置させ、OKスイッチSW１１を操作することにより設定を確定する。
【００９７】
ついで、各スイッチSW５〜SW８を操作して「次へ」に位置させ、OKスイッチSW１１を操作することにより設定を確定する。すると、LCDモニタ１２の画面Giがメニュー画面から図８（ｂ）に示す動画像切り出し時間設定画面に遷移する。
【００９８】
この動画像切り出し時間設定画面では、スナップ動画撮影時間の設定値として、３秒、５秒、１０秒、カスタムの４種類が表示されている。この実施例では、LCDモニタ１２のメニュー画面が注目点動画像の切り出し時間を指定する注目点動画像時間指定部としての役割を果たす。
【００９９】
各スイッチSW５〜SW８を操作してカーソルCaを「３秒」に設定すると、実撮影時間中のうちの３秒間の動画像が切り出される。同様に「５秒」を設定すると、実撮影時間中のうち５秒間の動画像が切り出される。「１０秒」を設定すると、実撮影時間中のうち１０秒間の動画が切り出される。「カスタム」を設定すると、「１秒」単位で、動画像の切り出し時間を設定することができる。
【０１００】
ついで、各スイッチSW5〜SW８を操作して「次へ」に位置させ、OKスイッチSW１１を操作することにより設定を確定する。すると、LCDモニタ１２の画面Giが動画像切り出し時間設定画面から図８（ｃ）に示すスナップ動画像切り出し開始位置設定画面に遷移する。
【０１０１】
このスナップ動画像切り出し開始位置設定画面においては、[中央重点]、[先頭]、[最後]、[カスタム]の四種類のうちの一つを設定可能である。
[中央重点]とは、図９（a）に示すように、動画像の切り出し時間の中央値を基準にして、過去に遡って、（−[スナップ動画時間]／２）秒の時間位置を切り出し開始時間位置とし、未来方向に（＋[スナップ動画時間]／２）秒の経過時間位置を切り出し終了時間位置として、[スナップ動画切り出し時間]分の動画像を切り出すことを言う。
【０１０２】
すなわち、例えば、セルフタイマ／削除スイッチＳＷ９が注目点動画像指定部の場合、このセルフタイマ／削除スイッチＳＷ９が操作された時点を動画像の切り出し時間の中央値として、その前側の（−[スナップ動画時間]／２）秒の時間位置を切り出し開始時間位置に設定され、その後側の（＋[スナップ動画時間]／２）秒の経過時間位置を切り出し終了時間位置に設定される。
【０１０３】
[先頭]とは、図９（ｂ）に示すように、動画像切り出し時間の先頭時間位置を切り出し開始時間位置とし、この切り出し開始時間位置を基準として未来方向に（＋[スナップ動画時間]）秒の経過時間位置を切り出し終了時間位置として[スナップ動画時間]分の動画を切り出すことを言う。すなわち、セルフタイマ／削除スイッチＳＷ９が操作された時点が切り出し開始時間位置に設定され、切り出し開始時間経過後の時間位置が切り出し終了時間位置に設定される。
【０１０４】
[最後]とは、図９（ｃ）に示すように、動画切り出し時間の最後を切り出し終了時間位置とし、この切り出し終了時間位置を基準として過去に遡って、（−[スナップ動画時間]）秒の時間位置を切り出し開始位置として[スナップ動画時間]分の動画を切り出すことを言う。
すなわち、セルフタイマ／削除スイッチＳＷ９が操作された時点が切り出し終了時間位置に設定され、過去に遡って、（−[スナップ動画時間]）秒の時間位置が切り出し開始位置に設定される。
【０１０５】
[カスタム設定]とは、図９（ｄ）に示すように、「１秒」から[スナップ動画撮影時間]で設定された時間を最大値として、１秒単位で切り出し開始時間位置を設定することを言う。
なお、この[カスタム設定]の場合、動画撮影時に何回でも設定できる。スイッチを押して、注目点動画像GUを決定すると、ＬＣＤモニタ１２の画面上にメッセージを表示して注目点動画像GUが設定されていることをユーザーに認識させるようにするのが望ましい。なお、符号「ｎ」はスナップ動画像撮影時間（注目点動画像）を示す。
【０１０６】
これらの例では、[スナップ動画撮影時間]をセットアップモードのメニュー画面で設定することにしているが、例えば、タッチパネル式のＬＣＤモニタの場合、これらの代わりに以下に説明する構成として良い。
【０１０７】
例えば、ＬＣＤモニタの画面にタッチした後、ＬＣＤモニタの画面から指を離さないというプレスアンドホールドのタッチ操作により注目点動画像としてのスナップ動画像の切り出し開始時間位置を指示し、プレスアンドホールドを継続している期間の動画像データを切り出す構成としても良い。
また、このプレスアンドホールドの代わりに、セルフタイマ／削除スイッチＳＷ９を押している期間の動画像を切り出す構成とすることも可能である。
【０１０８】
この実施例では、[スナップ動画モード]の設定をメニュー画面を用いて設定するようにしたが、ユーザの撮影意図は被写体状況により常に変化するので、メニューをいちいち設定するのは困難な場合が考えられる。
【０１０９】
この場合、以下に説明する構成を採用しても良い。
例えば、セルフタイマ／削除スイッチＳＷ９の「短押し」により、「中央重点」による切り出し開始時間位置を設定し、セルフタイマ／削除スイッチＳＷ９の「長押し」により先頭位置を切り出し開始時間位置に設定する構成としても良い。タッチ式のＬＣＤモニタの場合でも、シングルタップにより「中央重点」による切り出し開始時間位置の設定、ダブルタップにより、「先頭位置」を切り出し開始時間位置とすることもできる。
【０１１０】
（スナップ動画撮影の概要）
次に、図１０を参照しつつこのスナップ動画撮影の概要を説明する。時間は左側から右に向かって過去から未来に流れているものとする。動画像切り出し時間は、ここでは、「３秒」に設定され、「中央重点」により切り出し開始時間位置が設定されているものとする。シャッタボタンSW１の押下操作により、実時間の動画撮影を行っているものとする。シャッタボタンSW１の押下操作が解除されるまで、この動画撮影は継続実行されるものとする。
【０１１１】
時刻ｔ１において、セルフタイマ／削除スイッチＳＷ９を操作して、スナップ動画撮影を指示すると、時刻ｔ１よりも「１．５秒」前の時刻ｔ０が切り出し開始時間位置に設定され、この時刻ｔ０から３秒経過後の時刻ｔ２までの時間分の動画像データが切り出されて、CPU４０によりメモリカード２９に記録される。
【０１１２】
また、時刻ｔ１から所定時間が経過した任意の時刻ｔ４において、セルフタイマ／削除スイッチＳＷ９を操作して、スナップ動画撮影を指示すると、時刻ｔ４よりも「１．５秒」前の時刻ｔ３が切り出し開始時間位置に設定され、この時刻ｔ３から３秒経過後の時刻ｔ５までの時間分の動画像データが切り出されて、CPU４０によりメモリカード２９に記録される。
【０１１３】
ついで、任意の時刻ｔ７において、スナップ動画撮影を指示すると、時刻ｔ７よりも「１．５秒」前の時刻ｔ６が切り出し開始時間位置に設定され、この時刻ｔ６から３秒経過後の時刻ｔ８までの時間分の動画像データが切り出されて、CPU４０によりメモリカード２９に記録される。
【０１１４】
このようにして、切り出された一連の動画像データが動画像ファイルとしてメモリカード２９に記録保存される。
この「中央重点」によるスナップ動画像の切り出しによれば、最も注目する場面の前後の場面を含む動画像を切り出すことができるというメリットが考えられる。
【０１１５】
「先頭」によるスナップ動画像の切り出しによれば、ユーザーが期待する場面が切り出し開始場面よりも若干後到来すると予測される場合に有効であると考えられる。
「最後」によるスナップ動画像の切り出しによれば、ユーザーのセルフタイマ／削除スイッチSW９の操作が遅れた場合でも、ユーザーが期待する動画像の切り出しを行うことができるというメリットが考えられる。
なお、元の長い動画像データを動画ファイルとしてメモリカード２９に記憶させる構成としても良いし、元の長い動画像データを廃棄する構成とすることもできる。
【０１１６】
動画ファイルは、例えば、図１１に示すように、ＭＰＥＧ方式では、「ＧＯＰ」と呼ばれる単位で符号化されている。ここで、「GOP」（Group  oｆ  Piｃｔuｒeｓ）とは、MPEG規格において定められている動画を構成する最小の単位構造を言う。本実施例では、「GOP」を用いて説明しているが、MPEG-4  AVC  H.２６４等、他の動画圧縮符号化形式を用いてもよい。
なお、その図１１において、「ｈｄｒ」は画像データのヘッダーを示し、「PCM」は音声等のアナログ信号をパルス列に変換するパルス符号変調を言い、「iｄｘ」は一連の動画像データの終わりを示す。
【０１１７】
動画再生中でもスナップ動画撮影を可能とするために、例えば、ＭＰＥＧ方式では、ＧＯＰを０．５秒等割り切れる数値に設定し、「ＧＯＰ」の境界で分割点を決定する。
このように「ＧＯＰ」を決定すれば、元の動画データや音声データを復号し、再度符号化せずに、動画像を切り出すことができる。この実施例では、動画像の分割の単位を０．５秒としている。従って、スナップ動画像を３秒間に設定する場合、図１１に示すように、６個の「ＧＯＰ」により構成される。
【０１１８】
デジタルカメラやビデオカメラ等の各電子機器では、図１２に示すように、ＦＡＴファイル・システムが利用されている。記録媒体はセクタ (sector) と呼ばれるブロック単位で読み書きが行われる。このセクタは、 MS-DOSからの伝統に従って512 Bytes が標準的な大きさとなっている。なお、クラスタとGOP、PCMとの間には一定の対応関係がある。
【０１１９】
実際のファイルは、セクタを更にまとめたクラスタ (cluster) 単位によって読み書きを行う。１クラスタは、複数 (1〜 64) 個のセクタをまとめたものである。このため、一般に知られているように、たとえ、１バイトのファイルであろうとも、１クラスタ分の容量を記録媒体上で占有することになる。
【０１２０】
このセクタのうち、ファイルとクラスタの関係を管理し、ファイルのデータが配置されていることを示すテーブルをＦＡＴ(File Allocation Table)と呼ぶ。１つのファイルは連続したクラスタに配置することもできるし、飛び飛びのクラスタに配置することもできる。
【０１２１】
動画ファイルを記憶媒体としての記録部（例えば、メモリカード２９）に記録するとき、動画分割の単位をクラスタ境界に合わせるように記録すれば、動画を分割する時に余分なコピー処理が不要となったり、動画を切り出すときに、クラスタ単位で読み出しができるので、動画を分割したり、切り出したりする速度を高速にできる。
【０１２２】
以上、実施例においては、動画撮影中に注目点動画像GUを指定することにしたが、動画再生中にも注目点を指定する構成とすることもできる。
例えば、再生モードによる動画データの再生中に、注目点動画像の切り出し開始時間位置を指定する切り出し開始時間位置指定部を更に設け、CPU４０は、動画データの再生中に、切り出し開始時間位置指定部の操作の都度切り出し開始時間位置指定部により指定された切り出し開始時間位置から切り出し時間分の注目点動画像が切り出されてメモリカード２９に記録されるようにこのメモリカード２９を制御する構成としても良い。
【符号の説明】
【０１２３】
２９…メモリカード（記録部）
４０…CPU（制御部）
４６…画像信号処理部（画像処理部）
８０…CCD（撮像部）
SW1…シャッタボタン（操作部）
SW9…セルフタイマ／削除スイッチ（注目点動画像指定部）
【先行技術文献】
【特許文献】
【０１２４】
【特許文献１】特開２００６‐１７４３１８号公報
【特許文献２】特開２０１１‐０１０２１５号公報
【図１】
2013058976.tif 000003
【図２】
2013058976.tif 000004
【図３】
2013058976.tif 000005
【図４】
2013058976.tif 000006
【図５】
2013058976.tif 000007
【図６】
2013058976.tif 000008
【図７】
2013058976.tif 000009
【図８】
2013058976.tif 000010
【図９】
2013058976.tif 000011
【図１０】
2013058976.tif 000012
【図１１】
2013058976.tif 000013
【図１２】
2013058976.tif 000014